(57)【要約】【課題】  従来のサーバ機能を有するカメラからネットワークを介してクライアントへ配信された動画像データの中の、クライアントが希望する任意の一場面を、静止画ファイルとしてカメラから配信することができず、また、高画質の静止画も提供できない。【解決手段】  ビデオカメラは動画再生要求を受信すると、記録媒体に記録された動画像信号を再生してクライアントへ送信する（Ｓ５）。クライアントは、受信したストリーミング再生動画像を見て、静止画として気に入った一場面のタイミングで静止画作成要求を送信する（Ｓ６）。ビデオカメラは、静止画作成要求に含まれる時間情報に関連した位置まで磁気テープを巻き戻して、受信した時間情報の位置から磁気テープの再生を開始し、その再生動画像信号から静止画像信号を作成し（Ｓ７）、それをクライアントへ送信する（Ｓ８）。これにより、クライアントは任意の一画面の静止画を高品質で視聴できる。【選択図】            図３
2006013739.tif 000002
【特許請求の範囲】
【請求項１】
ネットワークに接続可能なサーバ機能と、撮影して得た動画像信号の記録媒体への記録機能と、前記記録媒体の再生機能とを有するビデオカメラであって、
前記ネットワークを介してクライアントに接続して、前記クライアントの間で双方向通信可能状態とする接続手段と、
前記接続手段により前記クライアントからの動画配信要求を受信したときは、その動画配信要求に従い前記記録媒体から再生した動画像信号又は撮影している動画像信号を、前記接続手段を介して前記クライアントへ送信する動画像送信手段と、
前記接続手段により前記クライアントからの静止画配信要求を受信したときは、その静止画配信要求に従い前記記録媒体から再生した動画像信号又は撮影している動画像信号に基づいて静止画像信号を作成して、前記接続手段を介して前記クライアントへ送信する静止画像作成及び送信手段と
を有することを特徴とするビデオカメラ。
【請求項２】
前記静止画像作成及び送信手段は、前記静止画配信要求に付加されている前記記録媒体の記録位置情報を検出する検出手段と、前記記録媒体を再生して得た記録位置情報が前記検出手段により検出した記録位置情報と一致する記録媒体の記録位置を検索する記録位置検索手段と、前記記録位置検索手段により検索した記録位置から前記記録媒体の記録動画像信号の再生を開始する再生手段と、前記再生手段により再生された動画像信号に基づいて静止画像を作成する静止画像作成手段と、作成した前記静止画像を前記接続手段に供給して前記クライアントへ送信させる送信手段とを有することを特徴とする請求項１記載のビデオカメラ。
【発明の詳細な説明】
【技術分野】
【０００１】
本発明はビデオカメラに係り、特にネットワークを介して画像データをクライアントに配信するネットワーク対応のデジタルビデオカメラに関する。
【背景技術】
【０００２】
インターネット等のネットワークを介してクライアントへ画像データを配信するネットワーク対応カメラが従来より知られている（例えば、特許文献１及び２参照）。特許文献１には、カメラで撮影して得たリアルタイム動画データを、動画データ配信部により圧縮して送信できるデータに変換し、変換後のデータを移動体端末から基地局を介してサーバに送信し、更にサーバからネットワークを介して複数のクライアントへ配信する構成が開示されている。
【０００３】
一方、特許文献２には、インターレース出力の撮像手段により得られるインターレース画像からノンインターレースフレーム画像を生成する際に、上記撮像手段からの画像データに基づいて、動体検出手段により被写体の動体検出を行い、画像データ選択手段により動体検出手段による検出出力に基づいて、撮像手段から供給される画像データが静止画の画像データであるか動画の画像データであるかを判定し、被写体が静止物か動体かに応じてフレーム画像とフィールド画像を自動的に切り替える構成のネットワーク対応カメラが開示されている。
【０００４】
【特許文献１】特開２００２−０２７４５２号公報
【特許文献２】特開２００３−２５９１７５号公報
【発明の開示】
【発明が解決しようとする課題】
【０００５】
しかるに、特許文献１記載の従来のカメラでは、画像データを伝送するネットワークの容量以上の画質の画像データは伝送できず、特にクライアントからの静止画要求に対応して高画質の静止画データを送信することができない。
【０００６】
また、特許文献２記載の従来のカメラでは、動画像データと静止画データを選択してネットワークを介してクライアントへ配信することができ、静止画データを配信するときにはフレーム画像データを選択することでフィールド画像データを伝送するときよりも高画質で伝送するようにしているが、フレーム画像以上の高画質の静止画データを伝送することができない。
【０００７】
更に、上記の特許文献１及び２記載の従来のカメラでは、いずれもサーバ機能を有するカメラからネットワークを介してクライアントへ配信された動画像データの中の、クライアントが希望する任意の一場面を、静止画ファイルとしてカメラから配信することができない。
【０００８】
本発明は以上の点に鑑みなされたもので、クライアントの要求に応じてクライアントが配信された動画像に基づいて自身で静止画像信号を生成するよりも高品質の静止画データを、ネットワークを介して要求元のクライアントへ配信し得るビデオカメラを提供することを目的とする。
【０００９】
また、本発明の他の目的は、クライアントに動画像データを配信し、その動画像データを受信したクライアントから要求のあった動画像の一場面を静止画像ファイルとして配信し得るビデオカメラを提供することにある。
【課題を解決するための手段】
【００１０】
本発明は上記の目的を達成するため、ネットワークに接続可能なサーバ機能と、撮影して得た動画像信号の記録媒体への記録機能と、記録媒体の再生機能とを有するビデオカメラであって、ネットワークを介してクライアントに接続して、クライアントの間で双方向通信可能状態とする接続手段と、接続手段によりクライアントからの動画配信要求を受信したときは、その動画配信要求に従い記録媒体から再生した動画像信号又は撮影している動画像信号を、接続手段を介してクライアントへ送信する動画像送信手段と、接続手段によりクライアントからの静止画配信要求を受信したときは、その静止画配信要求に従い記録媒体から再生した動画像信号又は撮影している動画像信号に基づいて静止画像信号を作成して、接続手段を介してクライアントへ送信する静止画像作成及び送信手段とを有する構成としたものである。
【００１１】
この発明では、ネットワークを介してクライアントから静止画配信要求があったときには、その静止画配信要求が記録媒体に記録されている動画像信号に基づく静止画配信要求であるときには、記録媒体から再生した動画像信号から静止画像信号を作成してクライアントへ送信し、また、その静止画配信要求が撮影している動画像信号に基づく静止画配信要求であるときには、撮影している動画像信号から静止画像信号を作成してクライアントへ送信することができる。
【００１２】
また、上記の目的を達成するため、本発明は、上記の静止画像作成及び送信手段が、静止画配信要求に付加されている記録媒体の記録位置情報を検出する検出手段と、記録媒体を再生して得た記録位置情報が検出手段により検出した記録位置情報と一致する記録媒体の記録位置を検索する記録位置検索手段と、記録位置検索手段により検索した記録位置から記録媒体の記録動画像信号の再生を開始する再生手段と、再生手段により再生された動画像信号に基づいて静止画像を作成する静止画像作成手段と、作成した静止画像を接続手段に供給してクライアントへ送信させる送信手段とを有することを特徴とする。
【００１３】
この発明では、配信された記録媒体の再生動画像をクライアントが見て任意の一画面の動画像の静止画を要求した場合には、その静止画配信要求に記録媒体の記録位置情報が含まれているので、その記録位置情報を検出したときには、記録媒体の再生開始位置を検出した記録位置情報が示す位置とする頭出し検索を行い、記録媒体の頭出し検索した記録位置から再生した動画像信号に基づいて作成した静止画像信号をクライアントへ送信することができる。
【発明の効果】
【００１４】
本発明によれば、クライアントからの静止画配信要求に基づき、動画像信号から作成した静止画信号をクライアントへ送信するようにしたため、クライアントが配信された動画像信号に基づいて自身で静止画像信号を作成する場合よりも、高画質の静止画をクライアントに提供することができる。
【００１５】
また、本発明によれば、配信された記録媒体の再生動画像をクライアントが見て任意の一画面の動画像の静止画を要求した場合には、その静止画配信要求に記録媒体の記録位置情報が含まれているので、その記録位置情報を検出したときは記録媒体の頭出し検索を行い、記録媒体の頭出し検索した記録位置から再生した動画像信号に基づいて作成した静止画像信号をクライアントへ送信するようにしたため、動画像中のクライアントが要求した任意の一画面の静止画像信号を送信することができ、クライアントが任意に選択した一画面の静止画を高品質で当該クライアントに視聴させることができる。
【発明を実施するための最良の形態】
【００１６】
次に、本発明を実施するための最良の形態について図面と共に説明する。図１は本発明になるビデオカメラの一実施の形態のブロック図、図２は本発明になるビデオカメラが適用される画像配信システムの一例のシステム構成図を示す。まず、図２の画像配信システムについて説明する。本実施の形態のビデオカメラ１は、ネットワーク４に接続可能なＷｅｂサーバ機能と、撮影して得たビデオ信号を記録する記録媒体とを有するカメラ一体型ＶＴＲであり、経路選択を行うルータ２及び変復調動作を行うモデム３を介してインターネット等のネットワーク４に接続され、更にネットワーク４から変復調動作を行うモデム５及び経路選択を行うルータ６を介してパーソナルコンピュータ（以下、ＰＣと略す）７に双方向接続される。
【００１７】
ここで、ビデオカメラ１、ルータ２及びモデム３は、例えば家庭内等の任意の場所に配置され、モデム５、ルータ６及びＰＣ７は、家庭外の任意の場所に設置されている。この画像配信システムについて簡単に説明するに、ビデオカメラ１から動画像データをクライアントであるＰＣ７へ、ルータ２、モデム３、ネットワーク４、モデム５及びルータ６を介して配信して動画像を表示させ、ＰＣ７の画面に表示される動画像の中の任意の一画面をクライアントに選択させる。クライアントであるＰＣ７は選択したその一画面の静止画要求を、ルータ６、モデム５、ネットワーク４、モデム３及びルータ２を介してビデオカメラ１へ送信する。
【００１８】
すると、ビデオカメラ１は、受信した静止画要求に基づき、クライアントが選択した一画面の静止画ファイルを作成して、ネットワーク４等を介してＰＣ７へ配信する。これにより、ＰＣ７では、受信した動画像データに基づいて自身が作成した静止画よりも、高品質の静止画を閲覧することができる。
【００１９】
次に、本発明になるビデオカメラの一実施の形態の構成について、図１と共に詳細に説明する。まず、カメラで撮影した動画像の記録時の動作について説明する。動きのある被写体からの入射光は光学系１１を経て撮像素子１２に結像され、ここで光電変換されて例えば１つの画面を２分割したときの各分割画面に対応する計２チャンネルの撮像信号に変換された後、ＡＦＥブロック１３に供給され、ここで各チャンネル毎にそれぞれ相関２重サンプリング（ＣＤＳ）によるＳ／Ｎの改善と、自動利得制御動作によるレベル調整と、Ａ／Ｄ変換動作によるＡ／Ｄ変換などの処理が施されてからディジタル映像信号として画像処理回路１４に供給されて１画面の画像に合成される。
【００２０】
また、画像処理回路１４は、発振器（ＯＳＣ）１５により発振出力された一定周波数のクロック信号が供給され、このクロック信号に基づいてＡＦＥブロック１３のＣＤＳやＡ／Ｄ変換で用いるクロックを発生してＡＦＥブロック１３に供給し、また、撮像素子１２で必要な垂直ドライブ信号を発生して撮像素子１２に供給する。撮像素子１２の水平ドライブ信号は、ＡＦＥブロック１３から供給される。
【００２１】
画像処理回路１４から出力された、１画面のディジタル映像信号（ビデオ信号）は、カメラ／ＪＰＥＧエンコーダ１６に供給され、ここで所定のカメラ信号処理が施されて、最終的にディジタルビデオカメラ（ＤＶＣ）規格に合致する有効画素の動画像に画像サイズを変換されて出力される。ビデオエンコーダ／デコーダ１７は、カメラ／ＪＰＥＧエンコーダ１６から供給されたビデオ信号をそのまま出力してＤＶコーデック１８に供給する。
【００２２】
ＤＶコーデック１８は、入力ビデオ信号に対してＤＶ規格に基づいた圧縮処理やシャフリング処理を施すと共に、トラッキング情報、タイムコード、日時情報等の各種制御データを付加し、また音声セレクタ／マイクアンプ１９から入力される音声信号をＡ／Ｄ変換して付加し、更に誤り訂正符号を付加してＤＶフォーマット信号を生成した後、記録に適した信号形態に変調してからＤＶＣデッキ２０に供給し、ここで回転ヘッドを用いた公知のヘリカルスキャニング方式の記録再生機構に基づき磁気テープに記録する。
【００２３】
このとき、ビデオエンコーダ／デコーダ１７において、その入力ビデオ信号に対して機器操作に必要となる文字をオンスクリーンディスプレイ（ＯＳＤ）２１から出力し、内部で合成後に標準方式（ＮＴＳＣ方式等）の映像信号に変調して、本体表示用の表示器（ビューファインダ、液晶表示装置など）２２に出力すると共に、ビデオ信号として外部に出力する。また、マイク２３で収音された音声は、マイク２３で音響−電気変換された後、音声セレクタ／マイクアンプ１９でゲイン調整後にＤＶコーデック１８に供給され、前述したように動画像と一緒にＤＶＣデッキ２０により磁気テープに記録される。
【００２４】
システムＣＰＵ（中央処理装置）２４は、操作スイッチ、センサなどのユーザインタフェース（ＵＩ）２５からのデータ、時計回路（ＲＴＣ）２６からの時計信号に基づいて、電源回路（ＲＥＧ）２７の制御信号や、マイコン（ＤＳＣ）２８の制御信号や、図示しない信号線により、他のブロックを統括的に制御する。
【００２５】
次に、磁気テープの記録信号の再生動作について説明する。ＤＶＣデッキ２０において磁気テープから再生された信号は、ＤＶコーデック１８にて復調、誤り訂正され、再生動画像信号はＤＶ規格に基づき伸張処理やデシャフリング処理された後、カメラ／ＪＰＥＧエンコーダ１６に一旦出力される。再生音声信号は、ＤＶコーデック１８にてＤ／Ａ変換された後、音声セレクタ／マイクアンプ１９に供給されて増幅された後、スピーカ２９により電気−音響変換されて音声として発音される。
【００２６】
カメラ／ＪＰＥＧエンコーダ１６は、入力された再生動画像信号に対して、必要に応じてズーム、スチル処理などを行ってからビデオエンコーダ／デコーダ１７に出力し、これよりカメラで撮影した動画像のテープ録画モードと同様に表示器２２や外部に出力されて画像閲覧される。
【００２７】
なお、カメラ動画像のテープ録画モードと同じ動作をしている時やテープ再生時には、ＳＤカード（メモリカード）３１への動画像及び音声信号の記録も可能である。例えば、カメラ動画像のテープ録画モードでは、カメラ／ＪＰＥＧエンコーダ１６から、ＤＳＣ２８に対して動画像信号が出力される。また、音声信号が音声セレクタ／マイクアンプ１９から音声用ＡＤＣ／ＤＡＣ３０に対して入力され、ここでＡ／Ｄ変換された後ＤＳＣ２８へ出力される。
【００２８】
ＤＳＣ２８は、動画像信号に対してはＰＣのツールで対応可能な所定のサイズ／フレームレートに変換後にＭＰＥＧ４等の動画圧縮を行い、音声信号に対しても同様にＰＣ上のツールで対応可能なサンプリングレート、ビット数に変換後圧縮を行った後、それらの圧縮した動画像データと音声データを一つのファイルにまとめ、ＳＤカード３１へ書き込む。この時、ＤＳＣ２８に接続されるリード・オンリ・メモリ（ＲＯＭ）３２はプログラムコード、シンクロナス・ダイナミック・ランダム・アクセス・メモリ（ＳＤＲＡＭ）３３は、画像バッファ、作業領域として使用される。
【００２９】
ＳＤカード３１の再生時は、ＳＤカード３１に記録された動画像データ及び音声データは、ＤＳＣ２８で分離及び伸長後に、動画像信号はビデオエンコーダ／デコーダ１７を経由して表示器２２で表示するか又は外部へ出力し、音声信号は、音声用ＡＤＣ／ＤＡＣ３０でＤ／Ａ変換後に音声セレクタ／マイクアンプ１９を介してスピーカ２９より発音させる。
【００３０】
また、カメラ動画像のテープ録画モードと同じ動作をしている時やテープ再生時には、ＳＤカード３１への静止画像の記録も可能である。例えば、カメラ動画像のテープ録画モードと同様にカメラ／ＪＰＥＧエンコーダ１６にビデオ信号を取り込み、ここでＪＰＥＧ圧縮を行う。その後ＪＰＥＧ圧縮データを外部バスを介して画像処理回路１４に転送し、更に、これより高速シリアル転送でＤＳＣ２８に送信する。そして、ＤＳＣ２８では受け取ったＪＰＥＧデータをファイル化してＳＤカード３１に記録する。
【００３１】
ＳＤカード３１から静止画を再生するときには、ＳＤカード３１から読み出したＪＰＥＧデータに対して、ＤＳＣ２８でＪＰＥＧ伸張を行った後、標準方式のテレビ規格に合うようにサイズを変換してから、ビデオエンコーダ／デコーダ１７を経由して表示器２２に表示したり、ビデオ信号として外部へ出力する。
【００３２】
次に、以上の記録再生動作を行う本実施の形態のビデオカメラ１を用いて、ネットワークを介して接続されたクライアントに動画像を提示し、更にクライアントが任意に選択したその動画像の一場面の静止画データをクライアントに提示する動作について、図３のフローチャート等を併せ参照して詳細に説明する。
【００３３】
まず、ＤＳＣ２８のＳＤＩＯインタフェース（Ｉ／Ｆ）に接続されているＳＤカード３１に替えて、図１に示すように無線ＬＡＮカード３４をＳＤＩＯインタフェース（Ｉ／Ｆ）に接続すると、外部のＰＣ３５（図１ではＰＣ７に相当）にネットワークを介してビデオカメラ１が接続される（図３のステップＳ１）。ＤＳＣ２８内には、ＴＣＰ／ＩＰプロトコルスタック、Ｗｅｂサーバが搭載されており、ＰＣ３５（７）からのアクセスによって、ビデオカメラ１を制御することが可能となる。
【００３４】
この状態において、クライアントであるＰＣ７から任意のタイミングでビデオカメラ１のネットワーク４上のＵＲＬ（Uniform Resource Locator）とユーザー名、パスワードを入力し、モデム５、ルータ６及びネットワーク４、更にモデム３及びルータ２を介してビデオカメラ１にアクセスする。
【００３５】
これにより、ＰＣ７（３５）のディスプレイの画面４１には、図４に示すように、受信した画像を表示するストリーミング表示部４２と、ビデオカメラ１を遠隔制御するためのカメラ操作部４３と、画面内容を示す表示部４４と、動画像のサイズ表示部４５と、ビットレート表示部４６などの、図１のＤＳＣ２８に接続されたＲＯＭ３２に記憶されているＷｅｂページが表示される。また、カメラ操作部４３は、停止ボタン４３１、巻き戻しボタン４３２、再生ボタン４３３、早送りボタン４３４、表示する動画像がビデオカメラ１で撮影したものを要求するボタン４３５、表示する動画像がビデオカメラ１でテープから再生したものを要求するボタン４３６、静止画出力を要求するボタン４３７などからなる。
【００３６】
クライアントは、このＰＣ７（３５）のディスプレイの画面４１中の「テープ」と表示されたボタン４３６をクリックし、ビデオカメラ１の入力ソースをカメラ信号入力からテープ信号入力に切り替える制御コマンドを発行した後、再生ボタン４３３をクリックすると、動画再生要求がネットワーク４を介してビデオカメラ１へ送信される（図３のステップＳ２）。
【００３７】
ビデオカメラ１は動画再生要求を受信すると、ＤＳＣ２８からシステムＣＰＵ２４へテープ再生動画モードのコマンドを出力し、これによりシステムＣＰＵ２４がＤＶＣデッキ２０に磁気テープが装填されているかどうか判定し（図３のステップＳ３）、磁気テープが装填されていなければ、クライアントへテープ無しを示す通知を行うが（図３のステップＳ４）、磁気テープが装填されているときには、ＤＶＣデッキ２０により前述した再生動作を行わせる（図３のステップＳ５）。
【００３８】
すなわち、ＤＶＣデッキ２０において磁気テープから例えば１０秒間再生された信号は、ＤＶコーデック１８にて復調、誤り訂正され、再生動画像信号がＤＶ規格に基づき伸張処理やデシャフリング処理された後、カメラ／ＪＰＥＧエンコーダ１６に一旦出力され、その後ＤＳＣ２８に入力される。ＤＳＣ２８は、入力された再生動画像信号を、Ｗｅｂページで設定されたサイズで圧縮し、コーデック種類、画像サイズ、ビットレートなどの補助情報と共に、ＳＤＲＡＭ３３をバッファとして用いてＰＣ３５（７）に対して動画ストリームとして送り出す。
【００３９】
ＰＣ３５（７）は、受信した動画ストリームを動画ソフトを用いて再生し、図４に示すように、そのディスプレイの画面４１のストリーミング表示部４２に、ビデオカメラ１から送信された動画ストリームの動画像を表示する。ＰＣ３５（７）のユーザがこのストリーミング再生動画像を見て、静止画として気に入った一場面の画像があるときには、その任意の一場面のタイミングで、例えばボタン４３７にカーソルを合わせてクリックするなどの方法で静止画を指定すると、ＰＣ７（３５）はその指定時点の動画部分から時間情報を取得し、その取得した時間情報を付加した静止画作成要求を生成してネットワーク４を介してビデオカメラ１へ送信する（図３のステップＳ６）。なお、上記の時間情報は、動画ストリームパケットのペイロード上にビデオ信号、オーディオ信号とは別に付加されパケッタイズされたデータを指す。
【００４０】
ビデオカメラ１は上記の静止画作成要求を受信すると、ＤＳＣ２８がそれに含まれる上記の時間情報をシステムＣＰＵ２４に通知し、システムＣＰＵ２４がＤＶＣデッキ２０を制御して、受信した時間情報と磁気テープから再生したタイムコードとを比較しながら、磁気テープを巻き戻して、受信した時間情報の直前まで磁気テープの再生位置を進め、受信した時間情報の位置から磁気テープの再生を開始する。
【００４１】
磁気テープから再生されたビデオ信号は、ＤＶコーデック１８にて復調、誤り訂正され、更にＤＶ規格に基づき伸張処理やデシャフリング処理された後、カメラ／ＪＰＥＧエンコーダ１６に取り込まれて、ＪＰＥＧ圧縮される。その後、ＪＰＥＧ圧縮データが外部バスを介して画像処理回路１４に転送され、更に、高速シリアル転送でＤＳＣ２８に送信される。そして、ＤＳＣ２８は受け取ったＪＰＥＧデータをファイル化した静止画を作成し（図３のステップＳ７）、その静止画ファイルをＳＤＲＡＭ３３をバッファとして用いて無線ＬＡＮカード３４及びネットワーク４を介してクライアントであるＰＣ３５（７）へ送信する（図３のステップＳ８）。
【００４２】
これにより、図５に示すように、ＰＣ７（３５）のディスプレイの画面４１の大部分を占める静止画表示部５１には、受信した静止画像が表示される。なお、画面４１には、静止画であることを示す表示部５２、静止画像のサイズ表示部５３などの、図１のＤＳＣ２８に接続されたＲＯＭ３２に記憶されているＷｅｂページも表示される。上記の静止画表示後は、ビデオカメラ１は、図５のＰＣ７（３５）のディスプレイの画面４１の更新ボタン５４又は動画切替ボタン５５をクリックすることで行われるクライアントからの、静止画更新又は動画に切り替えるかの次の要求を待つ（図３のステップＳ９）。
【００４３】
このように、本実施の形態では、ビデオカメラ１がクライアントの要求に従って作成した高品質の静止画データをクライアントが受信するようにしたため、クライアントが受信した動画像データに基づいて自身が作成した静止画よりも、高品質の静止画を閲覧することができると共に、受信動画像中からクライアントが指定した任意の一場面の静止画を視聴することができる。
【００４４】
なお、本発明は上記の実施の形態に限定されるものではなく、例えばカメラで撮影中の動画配信とそれに基づく静止画要求を行うことも可能である。この場合、撮影中の動画像をクライアントのＰＣの画面に表示中、任意に選択された一場面の静止画作成要求がクライアントからあったときは、ＤＳＣ２８を介してその静止画作成要求がシステムＣＰＵ２４に供給されると、システムＣＰＵ２４は現在カメラ撮影中の動画像信号をクライアントに出力中であることから、前述したカメラ動画像のテープ録画モードと同じ動作をしている時にＳＤカード３１へ静止画像を記録したときの動作と同様に、静止画作成要求受信時点の撮影中のビデオ信号をカメラ／ＪＰＥＧエンコーダ１６に取り込み、ここでＪＰＥＧ圧縮を行わせることにより得られたＪＰＥＧ圧縮データを、外部バスを介して画像処理回路１４に転送し、更に、これより高速シリアル転送でＤＳＣ２８に送信する。
【００４５】
ＤＳＣ２８は受け取ったＪＰＥＧデータをファイル化した静止画を作成し、その静止画ファイルをＳＤＲＡＭ３３をバッファとして用いて無線ＬＡＮカード３４及びネットワーク４を介してクライアントへ送信する。
【００４６】
ところで、クライアントが静止画要求をする際、静止画要求直後である静止画作成期間中に被写体をアップにしたい、あるいは背景も含めた画像にしたいという要求から画角を変化させることが想定される。この場合、ズーム途中の画像が送信されることやズーム途中の画像から静止画を作成することにより、品位の低い画像を作成してしまうことが考えられる。これらを回避するため、クライアントから静止画要求がきた直後の所定期間中にズームが行われた場合、ズーム動作終了後静止画を作成するように構成してもよい。更には、予め撮影画角を複数種類用意しておき、その中から所望の画角を選択し、その画角の位置にビデオカメラを設定した後静止画を作成する構成としてもよい。
【００４７】
また、ＰＣ７、モデム５及びルータ６に替えて携帯電話端末あるいはＰＤＡ（簡易型携帯情報端末）を使用してもよい。更に、本発明では、ビデオカメラ１で撮影中の画像信号やビデオカメラ１の外部入力映像信号をクライアントの要求により送信することも可能である。また、上記の実施の形態では、被写体を撮影して得られたビデオ信号（動画像信号）を磁気テープあるいはＳＤカードに記録するものとして説明したが、これに限定されるものではなく、それ以外の光ディスク、磁気ディスク、半導体メモリ等の映像情報を記録再生可能ないずれの記録媒体にも、記録し再生することができる。
【図面の簡単な説明】
【００４８】
【図１】本発明のビデオカメラの一実施の形態のブロック図である。
【図２】本発明になるビデオカメラが適用される画像配信システムの一例のシステム構成図である。
【図３】本発明の一実施の形態の動作説明用フローチャートである。
【図４】動画像受信時のクライアントの画面の一例を示す図である。
【図５】静止画受信時のクライアントの画面の一例を示す図である。
【符号の説明】
【００４９】
１  ビデオカメラ
２、６  ルータ
３、５  モデム
４  ネットワーク
７、３５  パーソナルコンピュータ（ＰＣ）
１１  光学系
１２  撮像素子
１４  画像処理回路
１６  カメラ／ＪＰＥＧエンコーダ
１７  ビデオエンコーダ／デコーダ
１８  ＤＶコーデック
１９  音声セレクタ／マイクアンプ
２０  ＤＶＣデッキ
２３  マイク
２４  システムＣＰＵ（中央処理装置）
２８  ＤＳＣ（マイコン）
２９  スピーカ
３０  音声用ＡＤＣ／ＤＡＣ
３１  ＳＤカード
３２  Ｗｅｂページを記憶しているＲＯＭ
３４  無線ＬＡＮカード
【図１】
2006013739.tif 000003
【図２】
2006013739.tif 000004
【図３】
2006013739.tif 000005
【図４】
2006013739.tif 000006
【図５】
2006013739.tif 000007